(57)【要約】【課題】亀裂の長さや個数による測定精度への影響を考慮して亀裂深さを測定できる計測方法を提供する。【解決手段】電気抵抗法を用いた密集亀裂深さ計測方法は、部材表面に生じる亀裂の長さ又は個数の少なくとも一方と、前記亀裂の長さ方向に直交する方向における前記亀裂の一方側及び他方側間の電位差と、前記亀裂の深さとの相関を示す評価式に、評価対象物における前記亀裂の長さ又は個数の少なくとも一方の測定値と前記電位差の測定値とを当てはめて前記亀裂の深さを求めるステップを備える。【選択図】図１
2019174313.tif 000002
【特許請求の範囲】
【請求項１】
電気抵抗法を用いた亀裂深さの計測方法であって、
部材表面に生じる亀裂の長さ又は個数の少なくとも一方と、前記亀裂の長さ方向に直交する方向における前記亀裂の一方側及び他方側間の電位差と、前記亀裂の深さとの相関を示す評価式に、評価対象物における前記亀裂の長さ又は個数の少なくとも一方の測定値と前記電位差の測定値とを当てはめて前記亀裂の深さを求めるステップを備えることを特徴とする計測方法。
【請求項２】
測定対象の前記亀裂の長さ又は個数を計測するステップと、
測定対象の前記亀裂における前記一方側及び前記他方側にそれぞれ一対の測定端子を配置して、前記亀裂の前記一方側及び前記他方側間の前記電位差を計測するステップと、
をさらに備え、
前記亀裂の深さを求めるステップでは、前記亀裂の長さ又は個数を計測するステップで得られた測定値と、前記電位差を計測するステップで得られた測定値とを前記評価式に当てはめることで前記亀裂の深さを求める
ることを特徴とする請求項１に記載の計測方法。
【請求項３】
前記電位差を計測するステップでは、前記一対の測定端子間に前記亀裂が１つのみ配置されるようにして前記測定端子をそれぞれ配置する
ことを特徴とする請求項２に記載の計測方法。
【請求項４】
前記測定端子は、入力端子と該入力端子に電源を介して接続された出力端子との対に対して、前記亀裂の前記長さ方向においてずれた位置に並んで配置される
ことを特徴とする請求項１乃至３の何れか一項に記載の計測方法。
【請求項５】
前記測定端子は、入力端子と該入力端子に電源を介して接続された出力端子との対の間において、前記入力端子と出力端子とを結ぶ線上に配置されることを特徴とする請求項１乃至３の何れか一項に記載の計測方法。
【請求項６】
前記評価式は、前記測定端子間に存在する亀裂の数毎に作成される
ことを特徴とする請求項１乃至５の何れか一項に記載の計測方法。
【請求項７】
測定対象の前記亀裂の周辺の外表面をクリーニングする表面処理ステップをさらに備えることを特徴とする請求項１乃至６の何れか一項に記載の計測方法。
【請求項８】
校正試験片を用いた電位差計測により前記評価式を予め求めるステップをさらに備えることを特徴とする請求項１乃至７の何れか一項に記載の計測方法。
【請求項９】
前記評価対象物は火炉壁管を含む
ことを特徴とする請求項３に記載の計測方法。
【発明の詳細な説明】
【技術分野】
【０００１】
本開示は、電気抵抗法を用いた密集亀裂深さ計測装置及び計測方法に関する。
【背景技術】
【０００２】
従来、例えば、陸用ボイラの火炉壁管等で生じる溝状腐食亀裂の深さを非破壊で計測する方法として、デジタルＸ線検査（精度：±０．３ｍｍ）が用いられている。このデジタルＸ線検査では、Ｘ線源と検査対象物との間に空間を確保する必要がある他、Ｘ線源の位置調整や移動に時間を要するため広範囲の検査が困難であり、また、検査者以外の作業員を退室させる必要があるため他工事との並行作業ができないなど、一定の制約が生じる。
【０００３】
Ｘ線を用いない亀裂深さの非破壊検査法として、電気抵抗法を用いた亀裂深さの計測法が知られている。例えば、特許文献１には、ＣＴ試験片に流す亀裂長さ測定電流を１秒以上の間欠通電とし、該間欠通電に基づくＣＴ試験片の電気抵抗値から亀裂深さを求める方法が開示されている。また、特許文献２には、複数の接触針を持つプローブと、同接触針のうち所定の接触針に繋がれる電源を持つ本体とに、それぞれ表示照明手段を設けて通電状態を確認できるようにした亀裂深さ測定器が開示されている。
【先行技術文献】
【特許文献】
【０００４】
【特許文献１】特開平４−１９４７４１号公報
【特許文献１】実開平４−４３２５６号公報
【発明の概要】
【発明が解決しようとする課題】
【０００５】
しかし、上記特許文献１及び特許文献２の何れにも、亀裂深さの計測に際して亀裂の長さや端子間に混入する亀裂の個数の影響を考慮することについて何ら開示されていない。
【０００６】
上述の事情に鑑みて、本発明の少なくとも一実施形態は、亀裂の長さや個数による測定精度への影響を考慮して亀裂深さを測定できる計測方法を提供することを目的とする。
【課題を解決するための手段】
【０００７】
（１）本発明の少なくとも一実施形態に係る計測方法は、
電気抵抗法を用いた亀裂深さの計測方法であって、
部材表面に生じる亀裂の長さ又は個数の少なくとも一方と、前記亀裂の長さ方向に直交する方向における前記亀裂の一方側及び他方側間の電位差と、前記亀裂の深さとの相関を示す評価式に、評価対象物における前記亀裂の長さ又は個数の少なくとも一方の測定値と前記電位差の測定値とを当てはめて前記亀裂の深さを求めるステップを備える。
【０００８】
本発明者らによる鋭意研究により、電気抵抗法を用いた亀裂深さの計測においては、亀裂の長さや個数によって測定誤差が生じ得ることが明らかになった。すなわち、亀裂の長さが短い場合は亀裂の側方を迂回する電流の経路が生じて電気抵抗値が低く観測され、また、電源電圧の入出力端子や測定端子間に存在する亀裂の個数が増加すると深さを過少評価する傾向にあり、測定精度に影響が生じ得る。よって、この測定誤差を低減するには亀裂の長さや個数を考慮することが有効であるという知見が得られたものである。
上記（１）の方法によれば、電気抵抗法を用いた亀裂深さの計測において、測定精度に影響を与え得る亀裂の長さ又は個数の少なくとも一方による影響を考慮して亀裂深さを測定することができるので、測定誤差を低減して亀裂深さを高精度に測定することができる。また、亀裂深さの計測に、例えばＸ線等の放射線を用いる必要がなく、亀裂深さの検査を他の作業と並行して行うことができるので、作業効率を大幅に向上させることができる。
【０００９】
（２）幾つかの実施形態では、上記（１）の方法において、
測定対象の前記亀裂の長さ又は個数を計測するステップと、
測定対象の前記亀裂における前記一方側及び前記他方側にそれぞれ一対の測定端子を配置して、前記亀裂の前記一方側及び前記他方側間の前記電位差を計測するステップと、
をさらに備え、
前記亀裂の深さを求めるステップでは、前記亀裂の長さ又は個数を計測するステップで得られた測定値と、前記電位差を計測するステップで得られた測定値とを前記評価式に当てはめることで前記亀裂の深さを求めてもよい。
【００１０】
上記（２）の方法によれば、評価式に、測定対象の亀裂の長さの実測値と、該亀裂の一方側及び他方側間の電位差の実測値とを当てはめることにより、測定対象の亀裂の深さを高精度に求めることができる。
【００１１】
（３）幾つかの実施形態では、上記（２）の方法において、
前記電位差を計測するステップでは、前記一対の測定端子間に前記亀裂が１つのみ配置されるようにして前記測定端子をそれぞれ配置してもよい。
【００１２】
亀裂を挟んで両側の電位差を測定する測定端子間に測定対象以外の亀裂が存在する場合、電気抵抗が増加するため、計測される電位差が増加する傾向にある。
この点、上記（３）の方法によれば、測定端子間には測定対象の亀裂が１つのみ配置されるので、他の亀裂の存在による電位差の増加すなわち誤差を抑制して高精度に電位差を計測することができる。そして、計測された電位差に基づき、亀裂の深さを高精度に求めることができる。
【００１３】
（４）幾つかの実施形態では、上記（１）乃至（３）の何れか一つに記載の方法において、
前記測定端子は、入力端子と該入力端子に電源を介して接続された出力端子との対に対して、前記亀裂の前記長さ方向においてずれた位置に並んで配置してもよい。
【００１４】
電気抵抗法を用いた亀裂深さの計測において、電圧の入力端子又は出力端子と測定端子との間に測定対象以外の亀裂が存在すると、測定端子間に流れる電流が減少するため、測定端子間の電位差が低下する傾向にあり、測定精度が低下する可能性があり得る。
この点、上記（４）の方法によれば、測定対象の亀裂の一方側と他方側とにそれぞれ配置される入力端子及び出力端子と、電位差測定用の測定端子とが、亀裂の長さ方向においてずれた位置に並んで配置されるから、入力端子又は出力端子と測定端子との間に余計な亀裂が介在する可能性を極力排除することができる。従って、測定誤差を低減して、亀裂の両側の電位差延いては亀裂の深さをより高精度に求めることができる。
【００１５】
（５）幾つかの実施形態では、上記（１）乃至（３）の何れか一つに記載の方法において、
前記測定端子は、入力端子と該入力端子に電源を介して接続された出力端子との対の間において、前記入力端子と出力端子とを結ぶ線上に配置されてもよい。
【００１６】
上記（５）の方法によれば、電圧の入力端子及び出力端子と、電位差測定用の測定端子とが直線状に配置される。
【００１７】
（６）幾つかの実施形態では、上記（１）乃至（５）の何れか一つに記載の方法において、
前記評価式は、前記測定端子間に存在する亀裂の数毎に作成されてもよい。
【００１８】
電気抵抗法を用いた亀裂深さの測定において、測定端子間で計測される電位差は該測定端子間に存在する亀裂の数に影響される。すなわち、測定端子間に存在する亀裂の数が異なれば異なる評価式が必要とされ、亀裂数を考慮しない測定では誤差が大きくなる。
この点、上記（６）の方法によれば、測定端子間に存在する亀裂数毎に評価式が作成されるので、測定対象の亀裂の数に応じた評価式を用いることで測定対象の亀裂の深さを高精度に求めることができる。また、上記（６）の方法は、例えば、電圧の入力端子及び出力端子の対と測定端子対とが直線状に配置される場合など、端子間距離が比較的離れて該端子間に複数の亀裂が介在し得る場合に、測定誤差を低減するために特に有効である。
【００１９】
（７）幾つかの実施形態では、上記（１）乃至（６）の何れか一つに記載の方法において、電気抵抗法を用いた亀裂深さの計測方法は、
測定対象の前記亀裂の周辺の外表面をクリーニングする表面処理ステップをさらに備えていてもよい。
【００２０】
上記（７）の方法によれば、表面処理ステップにおいて、電位差測定に悪影響を及ぼす恐れのある部材表面の汚れを落とすことができる。よって、測定誤差を抑制して亀裂の両側の電位差、延いては、測定対象の亀裂の深さをより高精度に測定することができる。
【００２１】
（８）幾つかの実施形態では、上記（１）乃至（７）の何れか一つに記載の方法において、電気抵抗法を用いた亀裂深さの計測方法は、
校正試験片を用いた電位差計測により前記評価式を予め求めるステップをさらに備えていてもよい。
【００２２】
上記（８）の方法によれば、校正試験片を用いた電位差計測により、測定対象の亀裂が生じる部材と同材の試験片に形成した亀裂に基づき、該亀裂の長さ又は個数と、該亀裂の一方側及び他方側間の電位差と、該亀裂の深さとの相関を示す評価式を予め取得することができる。こうして得られた評価式に、測定対象とする亀裂の長さ又は個数と、該亀裂の一方側及び他方側間の電位差とを当てはめることにより、測定対象の亀裂の深さを高精度に求めることができる。
【００２３】
（９）幾つかの実施形態では、上記（３）の方法において、
前記評価対象物は火炉壁配管を含んでもよい。
【００２４】
上記（９）の方法によれば、電気抵抗法を用いて、火炉壁配管の表面に生じた亀裂の深さを高精度に求めることができる。従って、亀裂深さの計測に、例えばＸ線等の放射線を用いた測定装置を用いる必要がなく、亀裂深さの検査を他の作業と並行して行うことができるので、作業効率を大幅に向上させることができる。
【発明の効果】
【００２５】
本発明の少なくとも一実施形態によれば、亀裂の長さや個数による測定精度への影響を考慮して亀裂深さを測定できる計測方法が提供される。
【図面の簡単な説明】
【００２６】
【図１】本発明の一実施形態に係る亀裂深さの計測方法を示すフローチャートである。
【図２】電気抵抗法を用いた亀裂深さの測定原理を説明するための概略図である。
【図３】電気抵抗法を用いた亀裂深さの測定原理を説明するための概略図であり、（ａ）は亀裂１４の上方からみた平面図、（ｂ）は亀裂の長さＬ１方向からみた図を示す。
【図４】図２と同様の図であり、図２よりも亀裂長さが短い場合を示す。
【図５】図３と同様の図であり、図３よりも亀裂長さが短い場合を示す。
【図６】入力端子、出力端子及び測定端子対を直列に配置して電位差を測定する状態を示す斜視図である。
【図７】入力端子、出力端子及び測定端子対を直列に配置して電位差を測定する状態を示し、（ａ）は測定端子間に亀裂が１個、（ｂ）は測定端子間に亀裂が２個、（ｃ）は測定端子間及び測定端子と入力端子との間にそれぞれ亀裂が１個存在する状態を示す。
【図８】入力端子と出力端子及び測定端子対を並列に配置して電位差を測定する状態を示す斜視図である。
【図９】入力端子と出力端子及び測定端子対を並列に配置して電位差を測定する状態を示し、（ａ）は測定端子間に亀裂が１個、（ｂ）は測定端子間に亀裂が２個、（ｃ）は測定端子間及び測定端子対の外側にそれぞれ亀裂が１個存在する状態を示す。
【図１０】本発明の一実施形態に係る亀裂深さの計測方法による亀裂深さの推定値と実測値との関係を示す図である。
【図１１】測定端子間に含まれる亀裂の数と電位差との関係を示す図である。
【発明を実施するための形態】
【００２７】
以下、添付図面を参照して本発明の幾つかの実施形態について説明する。ただし、実施形態として記載されている又は図面に示されている構成部品の寸法、材質、形状、その相対的配置等は、本発明の範囲をこれに限定する趣旨ではなく、単なる説明例にすぎない。
例えば、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。
また例えば、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。
一方、一の構成要素を「備える」、「具える」、「具備する」、「含む」、又は、「有する」という表現は、他の構成要素の存在を除外する排他的な表現ではない。
【００２８】
図１は、本発明の一実施形態に係る亀裂深さの計測方法を示すフローチャートである。
図１に示したように、本発明の少なくとも一実施形態に係る計測方法は、電気抵抗法を用いた亀裂１４の深さ（以下、亀裂深さＤともいう）の計測方法であって、部材表面１２に生じる亀裂１４の長さ（以下、亀裂長さＬともいう）又は個数の少なくとも一方と、亀裂１４の長さ方向に直交する方向における該亀裂１４の一方側及び他方側間の電位差Ｖと、亀裂１４の深さＤとの相関を示す評価式に、評価対象物１０における亀裂１４の長さ又は個数の少なくとも一方の測定値と電位差の測定値とを当てはめて亀裂１４の深さを求めるステップＳ５を備えている。
【００２９】
まず、電気抵抗法を用いた亀裂深さの測定原理について説明する。なお、当該原理については従来周知であるためその細部については詳述せず、本発明に関する点のみ説明する。
図２、電気抵抗法を用いた亀裂深さの測定原理を説明するための概略図であり、亀裂１４の長さＬ１方向に直交する方向からみた図である。図３は、電気抵抗法を用いた亀裂深さの測定原理を説明するための概略図であり、（ａ）は亀裂１４の上方からみた平面図、（ｂ）は亀裂の長さＬ１方向からみた図である。なお、図２では、亀裂１４の深さＤ１を評価する対象である評価対象物１０として、例えば、管軸方向Ａからみた配管の一部を示している。
図２及び図３に示すように、例えば、管軸方向Ａと直交する方向に生じた亀裂１４の深さを求める場合、管軸方向Ａにおいて該亀裂１４の一方側にあたる評価対象物１０の部材表面１２に電源電圧の入力端子２を、亀裂１４の他方側の部材表面１２に電源電圧の出力端子４をそれぞれ当接させる。そして、入力端子２及び出力端子４間に電圧を印加すると、亀裂１４の下方を通るルートで入力端子２から出力端子４に一定の電流が流れる（例えば、図３（ｂ）参照）。そして、電位差計８にそれぞれ接続された測定端子対６，６を上記亀裂１４の一方側と他方側とにそれぞれ当接させることにより、亀裂１４の両側（上記一方側及び他方側）の電位差が電位差計８で計測される。この電位差と亀裂１４とは直線関係で表わされるため、上記の電位差を計測することで亀裂１４の深さが求められるものである。
【００３０】
ここで、本発明者らによる鋭意研究により、電気抵抗法を用いた亀裂１４の深さの計測においては、亀裂１４の長さや個数によって測定誤差が生じ得ることが明らかになった。
図４は図２と同様の図であり、図２に示す亀裂長さＬ１よりも亀裂の長さＬ２が短い場合（Ｌ１＞Ｌ２）を示す。図５は図３と同様の図であり、図３に示す亀裂長さＬ１よりもよりも亀裂の長さＬ２が短い場合を示す。
図４及び図５に示すように、亀裂１４の長さＬが短い場合、該亀裂１４の側方を迂回する電流の経路（例えば、図５（ａ）及び図５（ｂ）参照）が生じて電位差すなわち電気抵抗値が低く観測される（Ｒ＝Ｖ／Ｉ）。したがって、亀裂長さＬを考慮せずに、電位差計８で計測された電位差のみに基づき亀裂深さＤを推定した場合は、亀裂深さＤの実測値との測定誤差の割合が大きくなる。一方、電位差計８で計測された電位差に亀裂長さＬを考慮して亀裂深さＤを推定した場合は誤差の割合が大幅に低減され亀裂深さＤの実測値との測定誤差が、例えば、デジタルＸ線検査と同程度である±０．３ｍｍの範囲内に概ね収まることが明らかとなったものである（例えば、図１０参照）。
【００３１】
図６は、入力端子、出力端子及び測定端子対を直列に配置して電位差を測定する状態を示す斜視図である。図７は、入力端子、出力端子及び測定端子対を直列に配置して電位差を測定する状態を示し、（ａ）は測定端子間に亀裂が１個、（ｂ）は測定端子間に亀裂が２個、（ｃ）は測定端子間及び測定端子と入力端子との間にそれぞれ亀裂が１個存在する状態を示す。
図６及び図７に示すように、電源電圧の入出力端子２，４や測定端子６，６間に存在する亀裂１４の個数が増加すると（例えば、図７（ａ）及び図７（ｂ）参照）、電気抵抗が増加するため電位差計８で計測される電位差が増加する。このため、亀裂深さＤの測定精度に影響が生じ得る（例えば、図１１参照）。
従って、上記のような測定誤差を低減するには亀裂１４の長さＬや個数を考慮することが有効であるという知見が得られたものである。
なお、亀裂１４の長さＬ又は個数の少なくとも一方と、亀裂１４の長さ方向に直交する方向における該亀裂１４の一方側及び他方側間の電位差Ｖと、亀裂１４の深さＤとの相関を示す評価式は、亀裂１４の長さや測定端子対６，６の間に含まれる亀裂１４の個数、或いは、評価対象物１０として用いる材料等に応じて、予め測定することで取得してもよい。
上記の方法によれば、電気抵抗法を用いた亀裂深さの計測において、測定精度に与える亀裂１４の長さＬ又は個数の少なくとも一方による影響を考慮して亀裂深さＤを測定することができるので、測定誤差を低減して亀裂深さＤを高精度に測定することができる。また、亀裂深さＤの計測に、例えばＸ線等の放射線を用いる必要がなく、亀裂深さＤの検査を他の作業と並行して行うことができるので、作業効率を大幅に向上させることができる。
【００３２】
幾つかの実施形態において、電気抵抗法を用いた亀裂１４の深さの計測方法は、例えば、図１に示すように、測定対象の亀裂１４の長さ又は個数を計測するステップＳ３と、測定対象の前記亀裂における一方側及び他方側にそれぞれ一対の測定端子を配置して、亀裂の一方側及び他方側間の電位差Ｖを計測するステップＳ４と、をさらに備えていてもよい。
ステップＳ３では、例えば、ノギス（不図示）等の物差しを用いて亀裂長さＬを計測してもよく、目視によって亀裂１４の個数を計数してもよい。また、例えば、部材表面１２に照射したレーザー光の散乱に基づき亀裂１４の長さや個数を計測するようにしてもよい。
ステップＳ４では、例えば、上記のような電位差計８を用いて亀裂１４の両側の電位差Ｖを計測してもよい。入力端子２、出力端子４及び測定端子６，６は、例えば、キャリア２４に搭載された可搬型のプローブとして設けられていてもよい。なお、測定端子対６，６の中央位置は、入出力端子対２，４の中央位置を通る亀裂長さ方向に沿う線から、入出力端子対２，４を結ぶ方向において、例えば、±１０％の位置に配置されるように構成されてもよい。また、測定端子６，６間の距離は、入出力端子対２，４間の距離の、例えば、０．７〜１．５倍であってもよい。
そして、亀裂１４の深さＤを求めるステップＳ５では、亀裂１４の長さＬ又は個数を計測するステップＳ３で得られた測定値と、電位差Ｖを計測するステップＳ４で得られた測定値とを評価式に当てはめることで亀裂１４の深さＤを求めてもよい。このようにすれば、評価式に、測定対象の亀裂１４の長さＬの実測値と、該亀裂１４の一方側及び他方側間の電位差Ｖの実測値とを当てはめることにより、測定対象の亀裂１４の深さを高精度に求めることができる。
【００３３】
幾つかの実施形態において、電位差Ｖを計測するステップＳ４では、例えば、図６、図７（ａ）、図８及び図９（ａ）に示すように、一対の測定端子６間に亀裂１４が１つのみ配置されるようにして測定端子６をそれぞれ配置してもよい。
【００３４】
亀裂１４を挟んで両側の電位差を測定する測定端子６間に測定対象以外の亀裂１４が存在する場合、電気抵抗が増加するため、計測される電位差が増加する傾向にある。
この点、上記の方法によれば、測定端子対６，６間には測定対象の亀裂１４が１つのみ配置されるので、他の亀裂１４の存在による電位差の増加すなわち誤差を抑制して高精度に電位差Ｖを計測することができる。そして、計測された電位差Ｖに基づき、亀裂１４の深さＤを高精度に求めることができる。
【００３５】
幾つかの実施形態では、例えば、図８及び図９に示すように、測定端子６を、入力端子２と該入力端子２に電源１６を介して接続された出力端子４との対に対して、亀裂１４の長さ方向においてずれた位置に並んで配置してもよい。
【００３６】
電気抵抗法を用いた亀裂深さＤの計測において、電圧の入力端子２又は出力端子４と測定端子６との間に測定対象以外の亀裂１４が存在すると、測定端子６間に流れる電流が減少するため、測定端子６間の電位差が低下する傾向にあり、測定精度が低下する可能性があり得る。
この点、上記の方法によれば、測定対象の亀裂１４の一方側と他方側とにそれぞれ配置される入力端子２及び出力端子４と、電位差測定用の測定端子６とが、亀裂１４の長さ方向においてずれた位置に並んで配置（即ち、並列配置）されるから、入力端子２又は出力端子４と測定端子６との間に余計な亀裂１４が介在する可能性を極力排除することができる。従って、測定誤差を低減して、亀裂１４の両側の電位差Ｖ延いては亀裂１４の深さＤをより高精度に求めることができる。
【００３７】
幾つかの実施形態では、例えば、図６及び図７に示すように、測定端子６を、入力端子２と該入力端子２に電源１６を介して接続された出力端子４との対の間において、入力端子２と出力端子４とを結ぶ線上に配置してもよい。このようにすれば、電圧の入力端子２及び出力端子４と、電位差測定用の測定端子６とが直線状に配置（即ち、直列配置）される。
【００３８】
幾つかの実施形態において、電気抵抗法を用いた亀裂深さＤの計測方法は、例えば、図１に示すように、測定対象の亀裂１４の周辺の外表面（部材表面１２）をクリーニングする表面処理ステップＳ２をさらに備えていてもよい。このようにすれば、電位差Ｖの測定に悪影響を及ぼす恐れのある部材表面１２の汚れを表面処理ステップＳ２において落とすことができる。よって、測定誤差を抑制して亀裂１４の両側の電位差Ｖ、延いては、測定対象の亀裂１４の深さＤをより高精度に測定することができる。
【００３９】
幾つかの実施形態において、電気抵抗法を用いた亀裂深さＤの計測方法は、例えば、図１に示すように、校正試験片（不図示）を用いた電位差計測により評価式を予め求めるステップＳ１をさらに備えていてもよい。このようにすれば、校正試験片を用いた電位差計測により、測定対象の亀裂１４が生じる部材（評価対象物１０）と同材の校正試験片に形成した亀裂１４に基づき、該亀裂１４の長さＬ又は個数と、該亀裂１４の一方側及び他方側間の電位差Ｖと、該亀裂１４の深さとの相関を示す評価式を予め取得することができる。こうして得られた評価式に、測定対象とする亀裂１４の長さ又は個数と、該亀裂１４の一方側及び他方側間の電位差とを当てはめることにより、測定対象の亀裂１４の深さを高精度に求めることができる。
【００４０】
幾つかの実施形態では、評価式を、測定端子６間に存在する亀裂１４の数毎に作成してもよい（例えば、図１１参照）。
【００４１】
上述したように、電気抵抗法を用いた亀裂深さＤの測定において、測定端子６間で計測される電位差Ｖは該測定端子６間に存在する亀裂１４の数に影響される。すなわち、測定端子６間に存在する亀裂１４の数が異なれば異なる評価式が必要とされ、亀裂数を考慮しない測定では誤差が大きくなる。
この点、上記の方法によれば、測定端子６間に存在する亀裂１４の数毎に評価式が作成されるので、測定対象の亀裂１４の数に応じた評価式を用いることで測定対象の亀裂１４の深さＤを高精度に求めることができる。また、上記の方法は、例えば、電圧の入力端子２及び出力端子４の対と測定端子対６，６とが直線状に配置される場合など、端子間距離が比較的離れて該端子間に複数の亀裂１４が介在し得る場合に、測定誤差を低減するために特に有効である。
【００４２】
幾つかの実施形態では、評価対象物１０は火炉壁管１０Ａを含んでもよい（例えば、図２参照）。このようにすれば、電気抵抗法を用いて、火炉壁管１０Ａの表面に生じた亀裂１４の深さＤを高精度に求めることができる。従って、亀裂深さＤの計測に、例えばＸ線等の放射線を用いた測定装置を用いる必要がなく、亀裂深さＤの検査を他の作業と並行して行うことができるので、作業効率を大幅に向上させることができる。
【００４３】
以上述べた構成によれば、亀裂の長さＬや個数による測定精度への影響を考慮して亀裂深さＤを測定できる。
【００４４】
本発明は上述した実施形態に限定されることはなく、上述した実施形態に変形を加えた形態や、これらの形態を適宜組み合わせた形態も含む。
【符号の説明】
【００４５】
１  計測装置（亀裂深さ計測装置）
２  入力端子
４  出力端子
６  測定端子（測定端子対）
８  電位差計
１０  評価対象物（配管／火炉壁管）
１２  部材表面
１４  亀裂
１６  電源
２４  キャリア
Ａ  管軸方向
【図１】
2019174313.tif 000003
【図２】
2019174313.tif 000004
【図３】
2019174313.tif 000005
【図４】
2019174313.tif 000006
【図５】
2019174313.tif 000007
【図６】
2019174313.tif 000008
【図７】
2019174313.tif 000009
【図８】
2019174313.tif 000010
【図９】
2019174313.tif 000011
【図１０】
2019174313.tif 000012
【図１１】
2019174313.tif 000013